(57)【特許請求の範囲】
【請求項１】
商品収納ラックを搭載したキャビネットの庫内底部に冷却／加熱ユニットを装備して商品を保冷，ないし加温するようにした自動販売機の冷却／加熱装置であって、冷却／加熱ユニットがファンを備えた風胴に冷却器，ヒータを組合せた構成になり、該冷却／加熱ユニットをリターン導風路を形成する背面ダクトに連ねて庫内の底壁上に設置し、かつ前記底壁で仕切られた機械室内に設置した冷凍機のコンデンシングユニット，電装ボックスとの間に冷媒パイプの配管，および電気系統のハーネスの配線を施したものにおいて、冷却／加熱ユニットに並置して庫内の底壁上にハーネスの配線経路に沿ってダクト状の配線カバーを敷設し、その上方に冷媒パイプを引回し配管したことを特徴とする自動販売機の冷却／加熱装置。
【請求項２】
請求項１記載の冷却／加熱装置において、風胴および冷却器を共通な台座の上に設置して一体に組立てた冷却／加熱ユニットを庫内の底壁上に据付け、その前方域に配線カバーを敷設したことを特徴とする自動販売機の冷却／加熱装置。
【請求項３】
請求項２記載の冷却／加熱装置において、台座および風胴の後端部にフックを設け、該フックを背面ダクトに引っ掛けて冷却／加熱ユニットを定位置に係止支持したことを特徴とする自動販売機の冷却／加熱装置。
【請求項４】
請求項３記載の冷却加熱装置において、冷却／加熱ユニットの台座前端部に設けた固定用タグ片を配線カバーの前方に引出して庫内底壁にねじ止めしたことを特徴とする自動販売機の冷却／加熱装置。
【発明の詳細な説明】
【０００１】
【発明の属する技術分野】
本発明は、缶，びん商品販売用の自動販売機の庫内に装備した冷却／加熱装置に関する。
【０００２】
【従来の技術】
まず、本発明の実施対象となるサーペンタイン式自動販売機の構成を図２，図３に示す。図において、１は断熱筐体としてなるキャビネット、２は前面外扉、３は商品取出口、４は断熱内扉であり、キャビネット１には庫内を仕切壁１ａにより複数の室に画成した上で、各室ごとにサーペンタイン式商品収納ラック５，商品搬出シュータ６，および冷却／加熱ユニット７が収設されており、さらに庫内と底壁１ｂで仕切られたベース側の機械室内には冷凍機のコンデンシングユニット８，および電装ボックス１４を据付けた構成になる。
【０００３】
また、前記の冷却／加熱ユニット７は、冷却器（冷凍機のエバポレータ）９，風胴１０，風胴１０の前面吐出口に組付けたファン１１，風胴１０に内蔵したヒータ１２の組立体からなり、キャビネット１の庫内背面に敷設してリターン導風路を形成する背面ダクト１３の下部前面に開口した導風穴（図示せず）に連ねて底壁１ｂの上に据付けられている。
【０００４】
かかる構成で、ホット，コールドの販売モードに合わせて冷却／加熱ユニット７の冷却器９，もしくはヒータ１２を運転すると、ファン１１により図示矢印のように冷気，もしくは暖気が庫内上方に通風し、商品収納ラック５に収納した商品１５を冷却，もしくは加熱する。また、商品収納ラック５を通過した空気はその背後に敷設した背面ダクト１３を経由して再び冷気／加熱ユニット７に戻るように循環する。
【０００５】
また、販売指令が与えられると、商品収納ラック５のベンド機構５ａが作動して商品１５を払出し、シュータ６を経て外扉２に開口する商品取出口３に搬出されることは周知の通りである。
次に、前記した冷却／加熱ユニット７の従来における組立構造，および冷却／加熱ユニット７と冷凍機との間の冷媒配管，および電装ボックスとの間のハーネスの配線を図４および図５(a),(b) で説明する。１６は冷却器９と冷凍機８との間に配管した冷媒パイプであり、冷却器９，および風胴１０はその後端部のフランジを背面ダクト１３にねじ１７で固定して所定位置に据付けている。
【０００６】
また、冷媒パイプ１６は、機械室内に設置した冷凍機のコンデンシングユニット８からキャビネット１の底壁１ｂの前縁に切欠いた凹溝を通じて庫内に引き入れ、底壁１ｂの上方を引回して冷却／加熱ユニット７の冷却器９に接続配管するようにしている。一方、電装ボックス１４から引出した電気系統のハーネス１８（ファン１１，ヒータ１２の給電線，風胴１０に取付けた温度センサ（サーミスタ）の信号線など）は底壁１ｂの前縁に切欠いた別な凹溝を通して庫内に引き入れて図示のように冷媒パイプ１６の上側を引回し、かつその配線束の途中箇所を適宜にクランプ１８-1で結束した上でカプラ１８ａを介して冷却／加熱ユニット７に接続するようにしている。
【０００７】
【発明が解決しようとする課題】
ところで、前記した冷却／加熱ユニット７の取付構造，およびハーネス１８の配線構造は、メンテナンス性の面で次記のような問題点がある。
すなわち、自動販売機のロケーション先で冷却／加熱ユニット７，例えば冷却器９が故障した場合には、冷却器９をキャビネット１から取出して交換することになるが、従来構造ではその作業を進める上で次のような不具合が発生する。
【０００８】
(1) 冷却／加熱ユニット７を庫内から引き出す際に、庫内に引回し配線したハーネス１８が邪魔となるためにカプラ１８ａ，クランプ１８-1を外し、ハーネス１８の束をばらした庫外に引き出すようにしているが、ハーネス１８は裸のままで保護されてないことから、冷却器９のフィンなどに引っ掛かって細い信号線などが断線するおそれがある。
【０００９】
(2) 冷却器９，風胴１０はその後端が庫内の奥に敷設した背面ダクト１３にねじ止め固定されており、しかも商品収納ラック５と底壁１ｂの間の間隔は狭く、かつ庫内の奥部は暗くて見えにくいことから、ねじ１７の操作が困難で冷却／加熱ユニット７の取り外し，取付けに手間と時間が掛かる。しかも、ロケーション先での作業時間が長引くと、それだけ自動販売機の販売再開が遅れて販売チャンスを逸することになる。
【００１０】
本発明は上記の点に鑑みなされたものであり、従来における冷却／加熱ユニットの取付構造，および電気系統のハーネス配線構造を見直し、ロケーション先の現場で行うユニットの交換，点検などのメンテナンス作業を簡素化して簡単，かつ短時間で安全に行えるように改良した自動販売機の冷却／加熱装置を提供することを目的とする。
【００１１】
【課題を解決するための手段】
上記目的を達成するために、本発明によれば、商品収納ラックを搭載したキャビネットの庫内底部に装備した冷却／加熱ユニットがファンを備えた風胴に冷却器，ヒータを組合せた構成になり、該冷却／加熱ユニットをリターン導風路を形成する背面ダクトに連ねて庫内の底壁上に設置し、かつ前記底壁で仕切られた機械室内に設置した冷凍機のコンデンシングユニット，電装ボックスとの間に冷媒パイプの配管，および電気系統のハーネスの配線を施したものにおいて、
(1) 冷却／加熱ユニットに並置して庫内の底壁上にハーネスの配線経路に沿ってダクト状の配線カバーを敷設し、その上方に冷媒パイプを引回し配管する（請求項１）。
【００１２】
(2) 風胴および冷却器を共通な台座の上に設置して一体に組立てた冷却／加熱ユニットを庫内の底壁上に据付け、その前方域に配線カバーを敷設するようにし（請求項２）、この構成に加えて前記台座および風胴の後端部にフックを設け、ねじを使わずに前記フックを背面ダクトに引っ掛けて冷却／加熱ユニットを定位置に係止支持し（請求項３）、さらに前記台座の前端部に設けた固定用のタグ片を配線カバーの前方に引出して庫内底壁にねじ止めして冷却／加熱ユニットを所定の据付け位置に固定するようにする（請求項４）。
【００１３】
上記の構成によれば、庫内に引き込み配線したハーネスを冷媒パイプの下側を潜らして底壁上に敷設した配線カバーで覆うようにしたことで、冷却／加熱ユニットを庫外に引き出す場合でも、カプラの接続を外すだけでハーネスは庫内に配線したままでも断線トラブルなどの心配なしに作業を進めることができる。また、冷却／加熱ユニットの冷却器，風胴を共通な台座の上に設置した一体構造とすることで、ユニットを庫外に引き出す際の作業が簡単に行える。さらに、ユニットの後端と背面ダクトとの間をねじ止めとせずにフック掛けとすることにより、厄介なねじ操作の要なしに冷却／加熱ユニットの取り外し，組み込み作業が短時間で楽に行える。
【００１４】
【発明の実施の形態】
以下、本発明の実施の形態を図１に示す実施例に基づいて説明する。なお、実施例の図中で図５に対応する部材には同じ符号を付してその詳細な説明は省略する。
すなわち、図示実施例では、冷却器９，風胴１０を共通な台座１９の上に取付けて冷却／加熱ユニット７を一体に組立てた構成としてキャビネット１の庫内底部に据付けてあり、その前方には電装ボックス１４から庫内に引き入れたハーネス１８の配線経路に沿って庫内の底壁１ｂにダクト状の配線カバー２０を敷設し、この配線カバー２０でハーネス１８を覆うようにしている。なお、前記配線カバー２０に連ねて庫内の仕切壁１ａに設けた配線カバー２１にはカプラボードを設けておき、冷却／加熱ユニット７から引き出したたファン１１，ヒータ１２の給電線，温度センサの信号線とハーネス１８とをカプラ１８ａで接続するようにしている。また、冷凍機コンデンシングユニット８から庫内に引き入れた冷媒パイプ１６は、前記配線カバー２０の上方を引き回して冷却器９に接続するよう配管している。
【００１５】
一方、冷却／加熱ユニット７は次記のような取付構造で庫内の据付け位置に固定されている。すなわち、ユニットの風胴１０および台座１９の後端には背後に突き出すフック１０ａ，１９ａが設けてあり、このフック１０ａ，１９ａを背面ダクト１３に開口した角穴に差し込んでユニットが左右方向に動かないように係止固定し、さらに、台座１９の前端には前方に伸びたＬ字形の固定用タグ１９ｂを設け、該タグ片１９ｂを前記の配線カバー２０を跨いでその前方に引出して庫内の底壁１ｂにねじ１７で固定している。
【００１６】
かかる構成で、冷却／加熱ユニット７の点検，冷却器９の交換などの作業を行う場合には、台座１９のタグ片１９ｂを固定しているねじ１７を緩め、風胴１０から引き出した電気配線とハーネス１８を接続しているカプラ１８ａを外した上で、台座１９の前端を若干持ち上げてユニット全体を前方に引き寄せて庫外に取り出す。この場合に、ハーネス１８は配線カバー２０の中に格納して配線されているのでユニット引出し作業の邪魔になることがなく、かつユニットに引っ掛かって断線するおそれもない。また、ユニットの後端部はねじ止めとせずにフック１０ａ，１９ａを介して背面ダクト１３に係止支持されているので、従来構造のようにねじ操作の必要なしにユニット全体を手前に引き出すだけで簡単に係合が外れる。また、冷却／加熱ユニット７を庫内に組み込む場合には、前記と逆な手順で庫内の底壁上に据付け、この位置で後端のフック１０ａ，１９ａを背面ダクト１３の角穴に差込み、台座１９の前端から引き出したタグ片１９ｂを底壁１ｂにねじ止めするだけの簡単な作業で定位置に固定できる。
【００１７】
【発明の効果】
以上述べたように、本発明の請求項１の構成によれば、点検，部品交換などのために、自動販売機のロケーション先でキャビネットの庫内から冷却／加熱ユニットを庫外に取り出す場合に、庫内側に引回し配線した電気系統のハーネスが邪魔することがなく、かつ誤ってハーネスがユニットに引っ掛かって断線するおそれもなしに作業を安全に進めることができる。
【００１８】
また、請求項２〜４の構成を併用することにより、冷却／加熱ユニットの冷却器，風胴を台座とともに一緒に庫外に引き出すことができ、しかも従来のように手元が暗い庫内の奥部でねじ操作を行う必要がなく、ユニットの取り外し，据付け作業を大幅に簡素化して作業時間を短縮できる。
【図面の簡単な説明】
【図１】本発明実施例の構成図であり、(a) 〜(c) はそれぞれ冷却／加熱ユニットの取付，配管，配線構造を表す平面図，正面図，および側面図
【図２】本発明の実施対象となる自動販売機全体の概要構成図
【図３】図２におけるキャビネットの庫内構造を表す正面図
【図４】図３における冷却／加熱ユニットの従来例の組立構造を表す斜視図
【図５】図４の冷却／加熱ユニットに対する従来の冷媒パイプの配管，および電気系統のハーネスの配線構造を表す図であり、(a),(b) はそれぞれ正面図，側面図
【符号の説明】
１    キャビネット
１ｂ  底壁
７    冷却／加熱ユニット
８    冷凍機のコンデンシングユニット
９    冷却器
１０    風胴
１０ａ  フック
１１    ファン
１２    ヒータ
１３    背面ダクト
１４    電装ボックス
１６    冷媒パイプ
１７    ねじ
１８    ハーネス
１９    台座
１９ａ  フック
１９ｂ  タグ片
２０    配線カバー
【図１】
0003846159.tif 000002
【図２】
0003846159.tif 000003
【図３】
0003846159.tif 000004
【図４】
0003846159.tif 000005
【図５】
0003846159.tif 000006